(57)【要約】【課題】電池接片と接続先である電気回路接続部間のインピーダンスを低く抑えることができる電池接片装置を提供する。【解決手段】この電池接片装置は、装填される電池の電極５３ａ，５４ａに接触板４５，４６を介して接触可能なコイルバネ形状の電池接片４３，４４を有している。上記電池接片は、電池接触側の座巻き部４３ｅ，４４ｅから接続先の電気回路基板４１側向けて螺旋状に延びるリード部４３ｂ，４４ｂを有しており、該リード部の先端は、電気回路基板４１の端子部に半田付けされる。電池が装填された場合、電池接片４３，４４は、コイル軸方向に変形して適切な接触圧が得られるが、そのとき、上記リード部も同様に弾性変形する。この電池接片装置によれば、上記リード部の長さが短く、電池接片と電気回路間のインピーダンスを低く抑えることができる。【選択図】    図２
2005019029.tif 000002
【特許請求の範囲】
【請求項１】
電池と圧接される電池接片装置において、
固定部材に固定される固定部と、上記固定部に連なり、接触力を与えるために弾性変形して変位する変形部と、上記変形部に連なり電池電極と圧接される接触部とからなる電池接片と、
上記電池接片の上記接触部に接続されて変位可能で電気回路へ上記電池の電力を供給するためのリード部と、
を有することを特徴とする電池接片装置。
【請求項２】
電池と圧接される電池接片装置において、
固定部材に固定される固定部と、上記固定部に連なり、接触力を与えるために弾性変形して変位する変形部と、上記変形部に連なり電池電極と圧接される接触部と、この接触部から連なり電気回路へ上記電池の電力を供給するための変位可能なリード部とからなる電池接片を有することを特徴とする電池接片装置。
【請求項３】
上記リ一ド部は、弾性変形可能な線状ばねからなることを特徴とする請求項１、または、２記載の電池接片装置。
【請求項４】
上記固定部、上記変形部、上記接触部、及び上記リード部は、一体的に接続された電気導通材料により形成されていることを特徴とする請求項１乃至３記載の電池接片装置。
【発明の詳細な説明】
【０００１】
【発明の属する技術分野】
本発明は、電力を供給するために電池の電極に圧接される電池接片装置の構造に関する。
【０００２】
【従来の技術】
従来、電池接片装置においては、一般的に電池接片としてコイルバネ状に成形した導電線材が適用されていた。上記電池接片の電気基板側は、半田付けされる。この電池接片装置では、電池の電極を上記バネ状の導電線材の接片を撓ませて当接させ、電池を装着する。
【０００３】
【発明が解決しようとする課題】
しかし、上記従来の電池接片装置においては、電気基板の半田付け部と接片部間の導電線材にインピーダンス（抵抗成分）がある。電池接片装置が、例えば、ストロボ充電装置用のものであった場合、上記インピーダンスがそのインピーダンスがストロボ充電回路と電池の間の負荷抵抗として作用し、充電時間が負荷抵抗分長くなる。このように上記半田付け部と接片部間のある程度のインピーダンスがあると電力供給に不利となる場合もある。
【０００４】
本発明は、上述の問題を解決するためになされたものであり、電池接片と接続先である電気回路接続部間のインピーダンスを低く抑えることができる電池接片装置を提供することを目的とする。
【０００５】
【課題を解決するための手段】
本発明の請求項１記載の電池接片装置は、電池と圧接される電池接片装置において、固定部材に固定される固定部と、上記固定部に連なり、接触力を与えるために弾性変形して変位する変形部と、上記変形部に連なり電池電極と圧接される接触部とからなる電池接片と、上記電池接片の上記接触部に接続されて変位可能で電気回路へ上記電池の電力を供給するためのリード部とを有しており、上記電池接片は、電池電極と圧接され、上記リード部を介して電気回路に接続される。
【０００６】
本発明の請求項２記載の電池接片装置は、電池と圧接される電池接片装置において、固定部材に固定される固定部と、上記固定部に連なり、接触力を与えるために弾性変形して変位する変形部と、上記変形部に連なり電池電極と圧接される接触部と、この接触部から連なり電気回路へ上記電池の電力を供給するための変位可能なリード部とからなる電池接片を有しており、上記接触部は、電池電極と圧接され、上記リード部を介して電気回路に接続される。
【０００７】
本発明の請求項３記載の電池接片装置は、請求項１，２記載の電池接片装置において、上記リ一ド部は、弾性変形可能な線状ばねからなる。
【０００８】
本発明の請求項４記載の電池接片装置は、請求項１乃至３記載の電池接片装置において、上記固定部、上記変形部、上記接触部、及び上記リード部は、一体的に接続された電気導通材料により形成されている。
【０００９】
【発明の実施の形態】
以下、本発明の実施の形態を図に基づいて説明する。
図１は、本発明の第１の実施形態の電池接片装置を内蔵するストロボブラケットと外部ストロボおよびカメラの分解斜視図である。図２は、上記ストロボブラケットの分解斜視図である。図３は、上記ストロボブラケットに適用される電池接片の斜視図であり、図３（Ａ）が自由状態、図３（Ｂ）が圧縮状態を示す。
【００１０】
図１に示すように上記電池接片装置を内蔵するストロボブラケット１は、グリップ部２を有し、グリップ部２の上部ブロック部１２に回転自在に支持されるストロボクレードル（ストロボマウント部）３と、グリップ部２の下部側方に延出し、上下方向に移動可能な雲台ブロック４とが設けられる。
【００１１】
グリップ部２のクレードル側上部ブロック１２には、他の外部ストロボ接続用コネクタの蓋１３および該コネクタ部１３ａと、レリーズスイッチ釦１４と、ストロボ制御信号入力コネクタ部１７とが配されている。グリップ部２の下端部には、開閉回動可能な電池蓋１５が配される。
【００１２】
ストロボクレードル３のストロボシュー１６には、外部ストロボ装置５が接続部２２を介して固定ネジ２３により着脱可能である。雲台ブロック４には、カメラ６が３脚ネジ１９により取り付け可能であり、カメラへのレリーズ信号出力用のカメラ接続コネクタ２０を有する。
【００１３】
外部ストロボ装置５は、上方部にストロボ発光窓部２１を有し、内部にストロボ発光管やチャージ用メインコンデンサ等が収納される。
【００１４】
カメラ６は、カメラ本体部３１と、撮影レンズ鏡筒部３２と、レリーズスイッチ釦３３と、アクセサリシュー部３４と、レリーズ信号出力コネクタと接続可能なレリーズ信号入力コネクタ３５とを有する。
【００１５】
グリップ部２のグリップ本体１１内には、ストロボ充電制御回路基板４１および基板台４２と、後述する電池接片装置とが配される。そして、グリップ本体１１内には、電池蓋１５を開放して４つの電池５３，５４，５５，５６（例えば、乾電池等）が直列に装填可能である。
【００１６】
上記電池接片装置は、図２示すように電池接片４３および正極接触板４５，負極接触防止カバー４７と、電池接片４４および負極接触板４６，正極接触防止板４８と、電池蓋１５とで構成される。
【００１７】
電池接片４３，４４は、図３（Ａ）に示すように電気導通材料のバネ線材を素材として外形が鼓状のコイルバネ形状に成形され、押圧方向に弾性変形可能（変位可能）な同一の形状の接片である。図３（Ａ），（Ｂ）は、電池５３側の電池接片４３のみを示すが電池４４側の電池接片４４も同一形状である。次の電池接片の形状の説明は、電池接片４３について説明する。
【００１８】
この電池接片４３には、固定部である基板側（上側）の座巻き部４３ｄと、接触部である電池側（下側）座巻き部４３ｅと、その間に形成され、電池電極に対して接触圧を与えるための弾性変形可能な変形部である鼓状コイル部４３ｃを有し、さらに、電池側座巻き部４３ｅから上方（固定部４３ｄ側）に向けてコイル部４３ｃの外側を螺旋状に延びるリード部４３ｂが一本の線材で一体的に形成されている。電池接片４３の圧縮状態におけるリード部４３ｂのコイル曲率半径は、コイル部４３ｃの最大の曲率半径より大きく、コイル部４３ｃが圧縮変形した場合、リード部４３ｂも同方向に弾性変形する。
【００１９】
なお、リード部４３ｂの先端には、コイル中心軸と平行な方向に立ち上げられた接続端４３ａが形成される。この接続端４３ａは、後述するように回路基板４１の電源端子用穴４１ａに挿入され、半田付けされるので、電池電極からの電力は、リード部４３ｂを通して回路基板４１側に供給されることになる。
【００２０】
電池蓋１５は、樹脂製部材よりなり、グリップ部本体１１の下端部のヒンジ部１１ｂにより開閉回動自在に支持される。この電池蓋１５の内面には、導電性である金属板製の電池接片５１がビスにより固着されている。
【００２１】
電池接片５１の一方（電池５４側）は、凸状の負極接触部５１ａを形成し、その中央部に穴部が設けられ、樹脂部からなる正極接触防止部１５ａが配される。電池接片５１の他方（電池５５側）は、正極接触部５１ｂとを形成し、樹脂部からなる対向する凸状の負極接触防止部１５ｂが設けられる。
【００２２】
ストロボ充電回路基板４１には、発振トランス７１や回路素子７２等が実装される。この回路基板４１は、基板台４２の上面側にビス挿通穴４１ｂを挿通させた３つのビス５８をビスネジ穴４２ｅに螺着して固定される。
【００２３】
基板台４２は、樹脂製の固定部材であって、それぞれ３つの下方凸部からなる接片固定部４２ａ，４２ｂを有する。その接片固定部４２ａ，４２ｂには、電池５３側の電池接片４３の基板側座巻き部４３ｄと、電池５６側の電池接片４４の基板側座巻き部４４ｄとがそれぞれ嵌め込まれて固定される。この基板側座巻き部の固定時に電池接片４３のリード部接続端４３ａおよび電池接片４４のリード部接続端４４ａがそれぞれ回路基板４１の端子穴４１ａに基板台挿通穴４２ｃ側から挿通され、半田付けされる。回路基板４１および電池接片４３，４４が取り付けられた基板台４２は、ビス挿通穴４２ｆを挿通させた４本のビス５９をグリップ部２の上部ブロック１２に設けられるビスネジ穴４０に螺着して上部ブロック１２の下部に固着される。
【００２４】
回路基板４１，基板台４２に取り付けられた電池接片４３の電池側座巻き部４３ｅには、金属板製の正極接触板４５がその突起部４５ａを介して嵌め込まれ、半田付けされる。さらに、正極接触板４５の下面側に樹脂製の負極接触防止カバー４７が凹部４５ｂ，バヨネット凸部４７ａによって係止され、固着される。負極接触防止カバー４７の中央部には、電池正極側が挿通可能な開口穴４７ｂが設けられる。
【００２５】
一方、回路基板４１，基板台４２に取り付けられた電池接片４４の電池側座巻き部４４ｅには、金属板製の負極接触板４６がその突起部４６ａを介して嵌め込まれ、半田付けされる。さらに、負極接触板４６の下面中央に設けられた凹部に樹脂製の正極接触防止板４８が接着固定される。
【００２６】
次に、上述した構成を有するストロボブラケット１に電池５３，５４，５５，５６を装填する動作について説明する。まず、電池蓋１５を開放して、電池５３は正極５３ａ側から、電池５６は負極５６ｂ側からグリップ本体１１内部に挿入する。電池５３の正極５３ａは、正極接触板４５に当接し、電池５６の負極５６ｂは、負極接触板４６に当接する。電池蓋１５を閉じると、電池５４の負極５４ｂがコモン電池接片５１の負極接触部５１ａに、電池５５の正極５５ａが電池接片５１の正極接触部５１ｂにそれぞれ接触し、押圧されるので、電池接片４３，４４のコイル部が弾性圧縮変形（変位）し、電池５３，５４，５５，５６の各電極に適正な接触圧を与える。また、リード部４３ｂ，４４ｂも同様に弾性変形（変位）して、電池接片４３，４４の圧縮変形（変位）を許容する。
【００２７】
また、ストロボブラケット１に電池５３，５４，５５，５６を装填する際、電池の方向を間違えて挿入し、電池蓋１５を閉じた場合、負極接触防止カバー４７や正極接触防止板４８、さらに、電池蓋側の正極接触防止部１５ａや負極接触防止部１５ｂによりそれぞれの電極の接触が防止されるので電池接続ミスが防止される。
【００２８】
ストロボブラケット１を用いてストロボ撮影を行う場合、上述のようにして電池５３，５４，５５，５６を装填したストロボブラケット１に外部ストロボ５を取り付け、さらに、雲台ブロック４にカメラ６を装着する。さらに、カメラ接続コネクタ２０とカメラ側レリーズコネクタ３５とをケーブルで接続し、かつ、カメラ側のストロボ制御信号ケーブルをストロボ制御信号入力用の接続コネクタ部１７に接続した状態とする。
【００２９】
そこで、ストロボブラケット１のメインスイッチをオンとすると、電池５３，５４，５５，５６の供給電力により、外部ストロボ装置５のメインコンデンサへの充電が開始される。充電終了後、レリーズスイッチ釦１４を押圧操作すると、そのレリーズ信号は、カメラ６側に入力され、同時にカメラ６側から接続コネクタ部１７を介してストロボ制御信号が入力される。その制御信号によってストロボ発光管の発光が開始され、露光が行われる。
【００３０】
上述した本実施形態のストロボブラケット１に組み込まれた電池接片装置によれば、電極接触部と回路基板４１側電源端子部とが比較的長さの短いリード部４３ｂ，４４ｂで接続されることからその間のインピーダンスが低く抑えられる。従って、ストロボ充電用のメインコンデンサの充電時間を短縮することが可能になる。
【００３１】
なお、実際に上述した電池接片を用いたもので２〜３秒の充電時間の短縮を行うことができた。また、この巻回する鼓状コイル部が形成するインダクタンス成分のインピーダンスをリード部４３ｂは、回避している。
【００３２】
なお、上述した実施形態における電池接片のリード部４３ｂ，４４ｂは、図３に示すようにコイル部の外側に沿って１周程度の角度の螺旋形状で示したが、これに限らず、リード部の巻き数を複数とすれば、圧縮時に端子部に作用する導電バネ線材の力を減らすことが可能である。
【００３３】
次に、本発明の第２の実施形態の電池接片装置について、図４の接片部の断面図を用いて説明する。
前記第１の実施形態の電池接片装置においては、電池の電力がバネ線材からなるリード部４３ｂ，４４ｂを介して電気回路に供給される構成としたが、この第２の実施形態の電池接片装置では、リード部としてバネ線材からなるリード部に替えて撚り線で形成されるリード線を採用する。
【００３４】
すなわち、本実施形態の電池接片装置においては、図４に示すように端子台６１に弾性変形可能なバネ板材からなる電池接片６２がビス６３によりネジ止めされている。電池接片６２の上面には、装填された電池６６の電極が当接し、接触する。そして、電池接片６２の電極との接触部近傍に撚り線からなるリード部であるリード線６４が半田６５により半田付けされる。リード線６４は、図示しない電気回路の電源端子部に接続される。
【００３５】
本実施形態によれば、前記第１の実施形態の電池接片装置と同様の効果を奏し、特にリード部が撚り線からなることにからリード部による電極の接触圧への影響を無くすことができる。
【００３６】
【発明の効果】
上述のように本発明によれば、電池接片と接続先である電気回路接続部間のインピーダンスを低く抑えることが可能な電池接片装置を提供できる。
【図面の簡単な説明】
【図１】本発明の第１の実施形態の電池接片装置を内蔵するストロボブラケットと外部ストロボおよびカメラの分解斜視図である。
【図２】図１のストロボブラケットの分解斜視図である。
【図３】図１のストロボブラケットに適用される電池接片の斜視図であり、図３（Ａ）が自由状態、図３（Ｂ）が圧縮状態を示す。
【図４】本発明の第２の実施形態の電池接片装置の接片部の断面図である。
【符号の説明】
４１…回路基板（電気回路）
４３，４４…電池接片（電気導通材料，バネ線材）
４３ｂ，４４ｂ…リード部
４３ｃ…コイル部（変形部）
４３ｄ…基板側座巻き部（固定部）
４３ｅ，４４ｅ…電池側座巻き部（接触部）
６２…電池接片
６４…リード線（リード部）
【図１】
2005019029.tif 000003
【図２】
2005019029.tif 000004
【図３】
2005019029.tif 000005
【図４】
2005019029.tif 000006